(57)【要約】【課題】  ＩＰスタックが実装されたあらゆるネットワーク対応機器に広く対応して、監視対象のネットワーク対応機器が正常に動作しているかを無人で監視し、非正常のときには無人で自動的に障害を復旧する。【解決手段】  ＩＰスタックを実装している複数のネットワーク対応機器がネットワーク接続されたシステムに適用する無人監視復旧装置１であって、監視対象のネットワーク対応機器であるＩＰルーター２０又はこれを信号経由するその先方に接続されたネットワーク対応機器であるサーバー３１とウェブカメラ２２にＩＣＭＰエコー要求パケットを送信し、該ＩＣＭＰエコー要求パケットに対するＩＣＭＰエコー応答パケットを受信しないときに、ＩＰルーター２０に非正常動作の可能性があると判定する監視手段と、前記判定を受けてＩＰルーター２０の電源をオフ・オンする電源断続手段とを備える。【選択図】        図１
2007013656.tif 000002
【特許請求の範囲】
【請求項１】
ＩＰスタックを実装している複数のネットワーク対応機器がネットワーク接続されたシステムに適用する無人監視復旧方法であって、監視対象のネットワーク対応機器又は該ネットワーク対応機器を信号経由するその先方に接続されたネットワーク対応機器にＩＣＭＰエコー要求パケットを送信し、該ＩＣＭＰエコー要求パケットに対するＩＣＭＰエコー応答パケットを受信しないときに、監視対象のネットワーク対応機器に非正常動作の可能性があると判定するステップと、前記判定をうけて監視対象のネットワーク対応機器の電源をオフ・オンすることにより該ネットワーク対応機器を復旧するステップとを含むことを特徴とするネットワーク対応機器の無人監視復旧方法。
【請求項２】
ＩＰスタックを実装している複数のネットワーク対応機器がネットワーク接続されたシステムに適用する無人監視復旧装置であって、監視対象のネットワーク対応機器又は該ネットワーク対応機器を信号経由するその先方に接続されたネットワーク対応機器にＩＣＭＰエコー要求パケットを送信し、該ＩＣＭＰエコー要求パケットに対するＩＣＭＰエコー応答パケットを受信しないときに、監視対象のネットワーク対応機器に非正常動作の可能性があると判定する監視手段と、前記判定を受けて監視対象のネットワーク対応機器の電源をオフ・オンする電源断続手段とを備えたことを特徴とするネットワーク対応機器の無人監視復旧装置。
【請求項３】
監視手段からＩＣＭＰエコー要求パケットを送信するネットワーク対応機器を複数台とする請求項２記載のネットワーク対応機器の無人監視復旧装置。
【請求項４】
電源断続手段による電源のオフ・オン制御を複数系統とし、複数台のネットワーク対応機器の電源のオフ・オンにおける少なくともオンのタイミングをずらして投入順序を持たせる請求項２又は３記載のネットワーク対応機器の無人監視復旧装置。
【請求項５】
監視手段は、ＩＣＭＰエコー要求パケットの送信を複数回繰り返し行い、該ＩＣＭＰエコー要求パケットに対するＩＣＭＰエコー応答パケットを一定回数以上連続して受信しない場合にのみ、監視対象のネットワーク対応機器に非正常動作の可能性があると判定する請求項２、３又は４記載のネットワーク対応機器の無人監視復旧装置。
【請求項６】
電源断続手段は、監視対象のネットワーク対応機器の電源をオフ・オンする際には、ネットワーク対応機器を初期化するために必要な期間オフした後にオンする請求項２、３、４又は５記載のネットワーク対応機器の無人監視復旧装置。
【請求項７】
監視対象のネットワーク対応機器が相互ネットワーク接続機器であり、該ネットワーク対応機器の電源がオフ・オンされた後のネットワーク全体が確立されるまでに必要な非正常運用保持期間内は、監視手段は前記ＩＣＭＰエコー要求パケットを送信し、該ＩＣＭＰエコー要求パケットに対するＩＣＭＰエコー応答パケットを受信しないときでも、監視対象のネットワーク対応機器に非正常動作の可能性があるとは判定しない請求項２、３、４、５又は６記載のネットワーク対応機器の無人監視復旧装置。
【請求項８】
無人監視復旧装置にバッテリーを追加し、瞬時停電時に該バッテリーから監視対象のネットワーク対応機器に給電する請求項２、３、４、５、６又は７記載のネットワーク対応機器の無人監視復旧装置。
【発明の詳細な説明】
【技術分野】
【０００１】
本発明は、ルーター、サーバー、ウェブカメラ等のネットワーク対応機器が正常に動作しているかを監視し、非正常のときには復旧させる装置及び方法に関するものである。
【背景技術】
【０００２】
インターネットに接続しているＩＰルーター、パソコン、ウェブカメラ等のネットワーク対応機器は、誤作動、故障、事故等の各種原因により通信が途絶したり不安定になったりするなど、動作が非正常になることがある。このようなとき、従来は、作業者がネットワーク対応機器の設置現場に行って復旧作業をしていたため、次のような問題があった。
（１）作業者がネットワーク対応機器の設置現場に行かなければならず、時間と手間と費用がかかる。
（２）障害が何時発生したのか分からず、発見が遅れる。
【０００３】
なお、特許文献１ではモデムなどの通信機器の復旧装置が提案されている。この復旧装置は、外部の電話回線と接続されたモデムとサーバを接続する通信回線であるＲＳ―２３２Ｃに接続して、モデムに着信した着信信号線（ＣＩ）とキャリア信号線（ＣＤ）の変化を検出する着信検出回路と、検出した着信信号を監視して異常発生時に異常を検出するシステムコントーラと、異常を検出した場合にモデムの電源スイッチ部をオフ・オンする電源制御部とからなるものである。同装置によれば、通信機器の通信状態を検出することにより異常の発生を自動的にかつ迅速に検出して、モデムを電源スイッチ部のオフ・オンにより復旧させるため、復旧に要する時間および費用を大幅に減らすことができるとされている。
【特許文献１】特開２０００−１３４６９号公報
【発明の開示】
【発明が解決しようとする課題】
【０００４】
しかし、特許文献１の復旧装置にも、次のような問題があった。
（１）特許文献１の復旧装置は主としてモデムを対象とした発明であり、モデム以外の通信機器については通信回線の種類ごとに着信検出回路とシステムコントーラを作成及び設定する必要があり、汎用性に欠けていた。すなわち、ＲＳ―２３２Ｃによるモデムの場合には前記ＣＩ、ＣＤの着信検出回路でよいが、ＲＳ―２３２Ｃ以外の通信回線による通信機器の場合には、全く別の着信検出回路を作成する必要があった。
【０００５】
（２）特許文献１の復旧装置でモデムを復旧しても、モデムに接続された他の機器がモデムの障害とともにフリーズしたような場合には、やはり作業者が現場に行って他の機器を復旧する必要があった。さらに、複数の機器を復旧する場合、その復旧の順番（具体的には各機器の立ち上げの順番）に注意する必要があり、順番を間違えるとシステムが稼働しない場合があった。
【０００６】
そこで、本発明の目的は、ＩＰスタックが実装されたあらゆるネットワーク対応機器に広く対応して、監視対象のネットワーク対応機器が正常に動作しているかを無人で監視し、非正常動作のときには無人で自動的に復旧することができる装置及び方法を提供することにある。
【０００７】
なお、本願で用いる略語について、次にまとめて説明しておく。
・ＩＰ（INTERNET PROTOCOL：インターネットプロトコル）
・ＩＣＭＰ（INTERNET CONTROL MESSAGE PROTOCOL：インターネット・コントロール・メッセージ・プロトコル：インターネットプロトコルの状態に関する情報を管理するプロトコル）
・ＩＣＭＰエコー要求（ECHO REQUEST：エコーリクエスト：エコー応答を要求するICMP情報メッセージ）
・ＩＣＭＰエコー応答（ECHO REPLY：エコーリプライ：エコー要求に対する応答（返答）のICMP情報メッセージ）
・ＬＡＮ（LOCAL AREA NETWORK：ローカルエリアネットワーク）
【課題を解決するための手段】
【０００８】
本発明は、次の手段を採ったものである。
［１］ＩＰスタックを実装している複数のネットワーク対応機器がネットワーク接続されたシステムに適用する無人監視復旧方法であって、監視対象のネットワーク対応機器又は該ネットワーク対応機器を信号経由するその先方に接続されたネットワーク対応機器にＩＣＭＰエコー要求パケットを送信し、該ＩＣＭＰエコー要求パケットに対するＩＣＭＰエコー応答パケットを受信しないときに、監視対象のネットワーク対応機器に非正常動作の可能性があると判定するステップと、前記判定をうけて監視対象のネットワーク対応機器の電源をオフ・オンすることにより該ネットワーク対応機器を復旧するステップとを含むことを特徴とするネットワーク対応機器の無人監視復旧方法。
【０００９】
［２］ＩＰスタックを実装している複数のネットワーク対応機器がネットワーク接続されたシステムに適用する無人監視復旧装置であって、監視対象のネットワーク対応機器又は該ネットワーク対応機器を信号経由するその先方に接続されたネットワーク対応機器にＩＣＭＰエコー要求パケットを送信し、該ＩＣＭＰエコー要求パケットに対するＩＣＭＰエコー応答パケットを受信しないときに、監視対象のネットワーク対応機器に非正常動作の可能性があると判定する監視手段と、前記判定を受けて監視対象のネットワーク対応機器の電源をオフ・オンする電源断続手段とを備えたことを特徴とするネットワーク対応機器の無人監視復旧装置。
【００１０】
ここで、ＩＰスタックを実装しているネットワーク対応機器としては、特に限定されないが、ＩＰルーター、パソコン（サーバー、端末）、ウェブカメラ、プリントサーバー等を例示できる。
【００１１】
監視手段からＩＣＭＰエコー要求パケットを送信するネットワーク対応機器は１台でもよいが、複数台（２台以上）とすることもできる。
【００１２】
電源断続手段による電源のオフ・オン制御を複数系統とし、複数台のネットワーク対応機器の電源のオフ・オンにおける少なくともオンのタイミング（さらにはオフのタイミング）をずらして投入順序を持たせることもできる。この場合の複数台のネットワーク対応機器は、その全部が監視対象の複数台のネットワーク対応機器であってもよいし、一部が監視対象のネットワーク対応機器であり他が監視対象ではないネットワーク対応機器であってもよい。すなわち、監視対象の複数台のネットワーク対応機器のオン（さらにはオフ）のタイミングをずらして投入順序を持たせてよいし、あるいは監視対象のネットワーク対応機器と監視対象ではないネットワーク対応機器のオン（さらにはオフ）のタイミングをずらして投入順序を持たせてもよい。
【００１３】
監視手段は、ＩＣＭＰエコー要求パケットの送信を複数回繰り返し行い、該ＩＣＭＰエコー要求パケットに対するＩＣＭＰエコー応答パケットを一定回数以上連続して受信しない場合にのみ、監視対象のネットワーク対応機器に非正常動作の可能性があると判定することが好ましい。
【００１４】
また、電源断続手段は、監視対象のネットワーク対応機器の電源をオフ・オンする際には、ネットワーク対応機器を初期化するために必要な期間（例えば１０秒以上）オフした後にオンすることが好ましい。本動作により、監視対象のネットワーク対応機器は、通常の内部初期化処理を経由し、完全な復旧が行える。
【００１５】
さらに、監視対象のネットワーク対応機器が一般的な相互ネットワーク接続機器（ＩＰ対応ルーター）等である場合には、該ネットワーク対応機器の電源がオフ・オンされた後のネットワーク全体が確立されるまでに必要な非正常運用保持期間（例えば３０分以上）内は、監視手段は前記ＩＣＭＰエコー要求パケットを送信し、該ＩＣＭＰエコー要求パケットに対するＩＣＭＰエコー応答パケットを受信しないときでも、監視対象のネットワーク対応機器に非正常動作の可能性があるとは判定しない−−従って、電源断続手段は電源のオフ・オンをしない−−ことが好ましい。本動作により、ネットワーク対応機器によるネットワーク確立作業等を本無人監視復旧装置が妨げないようにする。
【００１６】
また、無人監視復旧装置にバッテリーを追加し、瞬時停電時に該バッテリーから監視対象のネットワーク対応機器に給電することもできる。
【発明の効果】
【００１７】
本発明に係るネットワーク対応機器の無人監視復旧装置及び方法によれば、ＩＰスタックが実装されたあらゆるネットワーク対応機器に広く対応して、監視対象のネットワーク対応機器が正常に動作しているかを無人で監視し、非正常動作のときには無人で自動的に復旧することができる。
【発明を実施するための最良の形態】
【００１８】
ＩＰスタックを実装している複数のネットワーク対応機器がネットワーク接続されたシステムに適用する無人監視復旧装置であって、監視対象のネットワーク対応機器又は該ネットワーク対応機器を信号経由するその先方に接続されたネットワーク対応機器にＩＣＭＰエコー要求パケットを送信し、該ＩＣＭＰエコー要求パケットに対するＩＣＭＰエコー応答パケットを受信しないときに、監視対象のネットワーク対応機器に非正常動作の可能性があると判定する監視手段と、前記判定を受けて監視対象のネットワーク対応機器の電源をオフ・オンする電源断続手段とを備える。
【００１９】
監視手段は、ＩＣＭＰエコー要求パケットの送信を複数回繰り返し行い、該ＩＣＭＰエコー要求パケットに対するＩＣＭＰエコー応答パケットを一定回数以上連続して受信しない場合にのみ、監視対象のネットワーク対応機器に非正常動作の可能性があると判定する。また、電源断続手段は、監視対象のネットワーク対応機器の電源をオフ・オンする際には、ネットワーク対応機器を初期化するために必要な期間オフした後にオンする。さらに、監視対象のネットワーク対応機器が一般的な相互ネットワーク接続機器（ＩＰ対応ルーター）等である場合には、該ネットワーク対応機器の電源がオフ・オンされた後のネットワーク全体が確立されるまでに必要な非正常運用保持期間内は、監視手段は前記ＩＣＭＰエコー要求パケットを送信し、該ＩＣＭＰエコー要求パケットに対するＩＣＭＰエコー応答パケットを受信しないときでも、該ネットワーク対応機器に非正常動作の可能性があるとは判定しない。
【００２０】
電源断続手段を複数系統とし、監視対象の複数台のネットワーク対応機器の電源のオフ・オン、あるいは監視対象のネットワーク対応機器とその他のネットワーク対応機器の電源のオフ・オンにおける、オンのタイミングをずらして投入順序を持たせる。
【実施例】
【００２１】
図１は、本実施例の無人監視復旧装置を適用したネットワークシステムの一例を示しており、端末局と基地局とがインターネットにより接続されている。端末局は、いずれもＩＰスタックを実装しているネットワーク対応機器であるＩＰルーター２０とパソコン２１とウェブカメラ２２が、ハブ２３にＬＡＮケーブルで接続されて構成され、ＩＰルーター２０からインターネット２５に接続されている。基地局は、いずれもＩＰスタックを実装しているネットワーク対応機器であるＩＰルーター３０とサーバー３１とがＬＡＮケーブルで接続されて構成され、ＩＰルーター３０からインターネット２５に接続されている。
【００２２】
本無人監視復旧装置１は端末局に設置されており、図２に示すように、ネットワークに接続可能なネットワークインターフェイス２（例えばイーサネットＭＡＣ（MEDIA ACCESS CONTROL：メディアアクセスコントローラ）(イーサネットは富士ゼロックス株式会社の登録商標)と、商用電源（例えば交流１００Ｖ）の電源入力口３と、電源入力口３に別々に接続された２つの電源出力口４ａ，４ｂと、電源入力口３と各電源出力口４ａ，４ｂとの間をオフ・オンする２つの電源断続器５ａ，５ｂ（例えばリレー又は半導体リレー）と、各電源出力口４ａ，４ｂを手動でオフ・オンする２つの手動スイッチ６ａ，６ｂと、これらを連動制御させるための制御部７（例えば、ＭＰＵ、ＣＰＵ等）と、制御部７を設定する機器を接続するための設定用ポート８とによって構成される。ネットワークインターフェイス２と制御部７が本発明における監視手段を構成し、電源断続器５ａ，５ｂと制御部７が本発明における電源断続手段を構成する。
【００２３】
本実施例の無人監視復旧装置１による監視対象のネットワーク対応機器は端末局のＩＰルーター２０である。また、監視手段はＩＣＭＰエコー要求パケットを送信するネットワーク対応機器を２台指定でき、図示例では（ＩＰルーター２０を信号経由してその先方にインターネット及びＩＰルーター３０を介して接続された）基地局のサーバー３１と、（ＩＰルーター２０を信号経由してその先方にハブ２３を介して接続された）ウェブカメラ２２とが指定されている。また、電源断続手段による電源のオフ・オン制御を２系統としており、図示例ではＩＰルーター２０とパソコン２１の各電源をオフ・オン制御するようにしている。具体的な接続は、ネットワークインターフェイス２がＩＰルーター２０にＬＡＮケーブルで接続されている。電源入力口３は商用電源に接続され、第１の電源出力口４ａにはパソコン２１の電源プラグが接続され、第２の電源出力口４ｂにはＩＰルーター２０の電源プラグが接続されている。
【００２４】
また、設定用ポート８には、事前に設定装置として例えば前記パソコン２１を接続し、制御部７に少なくとも次の事項を設定できるようになっている。
（ア）ＩＣＭＰエコー要求パケットを送信するネットワーク対応機器の指定：本実施例では２台をそのアドレスにより指定できる。
（イ）電源断続手段による２系統のオフ・オン制御における少なくともオン（さらにはオフ）をずらす時間と投入順序
（ウ）ＩＣＭＰエコー要求パケットの送信回数と、非正常動作の可能性があると判定するためのＩＣＭＰエコー応答パケットの不受信回数の指定
（エ）電源断続手段によるオフ・オン制御におけるオフの期間
（オ）後述する非正常運用保持期間
【００２５】
［動作説明］
本無人監視復旧装置１の具体的な動作例を、図３に基づいて以下に説明する。
１．ＩＣＭＰエコー要求パケットの送信
監視手段は、通常時において定期的に、指定したネットワーク対応機器（サーバー３１、ウェブカメラ２２）に対し一定間隔でＩＣＭＰエコー要求パケットを送信する。これらのネットワーク対応機器が正常動作していれば、該機器側よりＩＣＭＰエコー応答パケットが監視対象であるＩＰルーター２０を信号経由して監視手段に対して返信される。
【００２６】
２．非正常動作判定
監視手段は、１項の手順においてＩＣＭＰエコー応答パケットが監視対象であるＩＰルーター２０を介して受信できない場合、該ＩＰルーター２０には非正常動作の可能性があると認識する。但し、イーサネット等の物理媒体における特性及び、ＩＰルーティングの経路選択ミス等により少なからず、正常な受信が行えない状態が発生するため首記手順を繰り返し実施させ、一定回数以上連続してＩＣＭＰエコー応答パケットを監視対象のネットワーク対応機器から受信できない場合に限り、非正常動作の可能性があると判定させる。
【００２７】
３．対象のネットワーク対応機器に対する電源制御動作
２項により、非正常動作の可能性があると判定された監視対象のネットワーク対応機器（ＩＰルーター２０）を初期化するために、電源断続手段の制御部７は電源断続器５ａ，５ｂを制御し、ＩＰルーター２０とパソコン２１の電源を適度な期間オフした後オンする。本動作により、ＩＰルーター２０とパソコン２１は通常の内部初期化処理を経由して復旧することができる。またこのとき、ＩＰルーター２０のオンとパソコン２１のオンのタイミングをずらして投入順序を持たせている。
【００２８】
４．非正常運用保持期間
３項により、監視対象のネットワーク対応機器の復旧作業自体は終了するが、一般的な相互ネットワーク接続機器であるＩＰルーター２０の場合は、機器が復旧した後、更にネットワーク全体が確立されるまでの時間を必要とする。そのため本無人監視復旧装置１は、３項動作後の一定の期間、非正常運用保持期間を持つ。この期間内では、１項に示した手順と同様の動作を常に行うが、ネットワーク対応機器側よりＩＣＭＰエコー応答パケットが本無人監視復旧装置１に対して返信されない場合に、電源断続器５ａ，５ｂを制御しないことを保証する。本動作により、ネットワーク対応機器によるネットワーク確立作業等を本無人監視復旧装置１が妨げないようにする。またもし、この期間中にＩＣＭＰエコー応答パケットが本無人監視復旧装置１に対して返信された場合は、完全なネットワークを含むシステム全体復旧が完了したものとして通常の動作（１項）に戻る。
【００２９】
［拡張性］
本無人監視復旧装置１は小規模な装置であり、次に例示するような拡張性を持つ。
（ａ）時差電源投入制御（上記実施例で導入済み）
本無人監視復旧装置１は、複数系統の電源制御を行うことが可能な制御装置としての側面も持つ。一般的なネットワーク対応機器を複数種類相互に連動させる場合は、意外な程に電源の投入順序が重要となるケースが多い。こういったケースのために、本無人監視復旧装置１上に実装されている電源断続器５ａ，５ｂを制御し、電源の投入順序を設定することが可能となる。
【００３０】
（ｂ）無停電電源装置機能
本無人監視復旧装置１は、監視対象ネットワーク対応機器にとって一次電源装置として動作する。本無人監視復旧装置の内部にバッテリー等を追加することで、監視対象ネットワーク対応機器を瞬時停電等から保護することが可能となる。
【００３１】
（ｃ）外部通信機能によるリモート電源制御
本無人監視復旧装置１に、例えば、一般的なアナログ回線用モデムやＩＳＤＮ用ターミナルアダプター機能を追加することで、別系統回線による動作ログの収集やリモート電源制御装置として利用することが考えられる。（但し、単独による無人ネットワーク対応機器監視・復旧機能が主であり、本項に上げた機能は従である。）
【００３２】
（５）その他
監視者は、正常時に、指定のサーバーに一定時間ごとに簡易的な安否情報を送信できる。また、保守センター等に自動報告することもできる。
【００３３】
［特徴］
本無人監視復旧装置は、以下の特徴を持つ。
（１）ネットワーク対応機器の正常動作を監視するために、ＩＣＭＰエコー要求パケットを用いる。
ネットワーク対応機器のシステム実装がどのように行われている場合でも、基本的にＩＰスタックを実装していることが重要となっている。つまり、ＩＰスタックの実装段階でＩＣＭＰ（特に、エコー要求及びエコー応答）は実装を義務付けられている点に注目した。一般的に販売されているＩＰ対応と銘打たれた機器は全てこの条件をクリアしているため、本無人監視復旧装置が自ずとこれら全ての機器に対応していると表現できることになる。また、基本的にＩＣＭＰよりも上位に当たるプロトコルスタックを実装する必要が無いため安価なシステムコントローラーを用いることができ、必然的に本無人監視復旧装置のコストを大幅に削減することが可能となる。
【００３４】
（２）ネットワーク対応機器を完全に初期化させるために、ネットワーク対応機器本体の電源を本無人監視復旧装置から制御する。
一般的に販売されている大抵のネットワーク対応機器は、自身の初期化を目的としたインターフェイスを提供していることが多いのも現実である。（例えば、機器本体に搭載されている初期化スイッチや通信経由での初期化コマンドの搭載等）。しかしながら、この種の初期化インターフェイスが確実に動作すると言った保証がなされていないことも事実である。例えばソフトウエアにバグが存在することが多いからである。上記を踏まえた上で、本無人監視復旧装置はネットワーク対応機器に対する機器初期化手段として、ネットワーク対応機器本体の主電源を制御する方式をとる。電子機器である以上必ず主電源は存在し、主電源のオフ・オンにより復旧する機器がほとんどであるからである。
【００３５】
（３）上記１・２項に記した機能を必要に応じて複数系統準備することが可能。
首記本無人監視復旧装置における動作は１系統である必要がそもそも無い。複数系統を準備することで、より市場のニーズに合わせた機器を製造・販売することが可能となる。
【００３６】
（４）ネットワーク対応機器を経由したグローバルネットワークへの接続に対する信頼性を向上させることが可能。
例えばＩＰルーター等によるグローバルネットワークへの接続を行っている場合に、通信回線事業者の故障やメンテナンス作業、またＩＰルーター本体の不具合や一時的な故障等によりグローバルネットワーク間の接続が不通に陥るケースが考えられる。このようなケースの場合、ＩＰルーターの内側に本無人監視復旧装置を用い、グローバルネットワークに存在しているネットワーク対応機器間で非正常動作に陥っていないかを監視させる。
このような措置によりＩＰルーターの異常を監視させることが可能となり、必然的にグローバルネットワークへの接続に対する信頼性が向上する。
【００３７】
本発明は前記実施例に限定されるものではなく、例えば次のように、発明の趣旨から逸脱しない範囲で適宜変更して具体化することもできる。
（１）本無人監視復旧装置は、ＩＰスタックが実装されたあらゆるネットワーク対応機器に広く対応する。よって、任意のネットワーク対応機器に接続して適用することができ、例えばインターネットに接続しない（ＩＰルーターの無い）ＬＡＮ内において適用することもできる。
（２）監視手段による監視対象のネットワーク対応機器を３台以上とすることもできる。
（３）電源断続手段による電源のオフ・オン制御を３系統以上とすることもできる。
【図面の簡単な説明】
【００３８】
【図１】本発明の実施例の無人監視復旧装置を適用したネットワークシステムを示す概略図である。
【図２】同無人監視復旧装置のブロック図である。
【図３】同無人監視復旧装置の動作概要を示すタイムチャート図である。
【符号の説明】
【００３９】
１    本無人監視復旧装置
２    ネットワークインターフェイス
３    電源入力口
４ａ，４ｂ    電源出力口
５ａ，５ｂ    電源断続器
６ａ，６ｂ    手動スイッチ
７    制御部
８    設定用ポート
２０    ＩＰルーター
２１    パソコン
２２    ウェブカメラ
２３    ハブ
２５    インターネット
３０    ＩＰルーター
３１    サーバー
【図１】
2007013656.tif 000003
【図２】
2007013656.tif 000004
【図３】
2007013656.tif 000005